(57)【要約】【課題】  ＩＣタグや環状アンテナの破損を防ぎ、かつ、敷設したブロックの平坦性を容易に確保でき、しかも、ＩＣタグや環状アンテナの交換を容易にした、コンクリートブロック及びその敷設方法、並びにコンクリートブロック内のＩＣタグ又は環状アンテナの交換方法を提供する。【解決手段】  上部ブロック１と下部ブロック２とを重ね合わせたコンクリートブロックにおいて、上部ブロック又は下部ブロックのいずれかに、ＩＣタグと環状アンテナ（３）とを装着する装着孔が形成されると共に、上部ブロックと下部ブロックとの重ね合わせ面には、両者のズレを抑制するズレ防止手段が設けられていることを特徴とする。  特に、該ズレ防止手段は、上部ブロック又は下部ブロックのいずれか一方に凸部２０を、他方に凹部１０を設け、両者を嵌合するよう構成されていることを特徴とする。【選択図】  図１
2007270472.tif 000002
【特許請求の範囲】
【請求項１】
上部ブロックと下部ブロックとを重ね合わせたコンクリートブロックにおいて、上部ブロック又は下部ブロックのいずれかに、ＩＣタグと環状アンテナとを装着する装着孔が形成されると共に、上部ブロックと下部ブロックとの重ね合わせ面には、両者のズレを抑制するズレ防止手段が設けられていることを特徴とするコンクリートブロック。
【請求項２】
請求項１に記載のコンクリートブロックにおいて、該ズレ防止手段は、上部ブロック又は下部ブロックのいずれか一方に凸部を、他方に凹部を設け、両者を嵌合するよう構成されていることを特徴とするコンクリートブロック。
【請求項３】
請求項２に記載のコンクリートブロックにおいて、上部ブロックの下方面にＩＣタグと環状アンテナとを装着する装着孔、および該ズレ防止手段の凹部が形成されていることを特徴とするコンクリートブロック。
【請求項４】
請求項１乃至３のいずれかに記載のコンクリートブロックにおいて、該コンクリートブロックは、歩道舗装用ブロックであることを特徴とするコンクリートブロック。
【請求項５】
請求項１乃至４のいずれかに記載のコンクリートブロックの敷設方法において、上部ブロック又は下部ブロックのいずれか一方に設けられた装着孔にＩＣタグと環状アンテナとを装着し、上部ブロックと下部ブロックとを重ね合わせて敷設することを特徴とするコンクリートブロックの敷設方法。
【請求項６】
請求項１乃至４のいずれかに記載のコンクリートブロックを用いて、該コンクリートブロックに内蔵されたＩＣタグ又は環状アンテナを交換するコンクリートブロック内のＩＣタグ又は環状アンテナの交換方法において、上部ブロックを下部ブロックから取り外し、ＩＣタグ又は環状アンテナを交換することを特徴とするコンクリートブロック内のＩＣタグ又は環状アンテナの交換方法。
【発明の詳細な説明】
【技術分野】
【０００１】
本発明は、コンクリートブロック及びその敷設方法、並びにコンクリートブロック内のＩＣタグ又は環状アンテナの交換方法に関し、特に、ユビキタス情報社会で多用されるＩＣタグなどの埋設物を容易に設置できるコンクリートブロック及びその敷設方法、並びにコンクリートブロック内のＩＣタグ又は環状アンテナの交換方法の製造方法に関する。
【背景技術】
【０００２】
近年の情報通信技術の進展に伴い、メインフレーム（皆で1台のコンピュータを使用する）時代から、パーソナル・コンピュータ（１人で1台を使用する）時代、さらには、第3世代のコンピュータ利用形態として、１人で複数台のコンピュータを使用する、所謂、「ユビキタス情報社会」への移行が予見されている。
ユビキタスとは、ラテン語の「ubique＝あらゆるところで」という形容詞を基にした、「（神のごとく）遍在する」という意味で使われている英語で、ユビキタス情報社会では、利用者にとって目に見える形でコンピュータの筐体が存在せず、「人間の生活環境の中にコンピュータチップとネットワークが組み込まれ、ユーザーはその場所や存在を意識することなく利用できるコンピューティング環境」を意味すると言われている。
【０００３】
ユビキタス情報社会の例としては、携帯電話の普及に伴い、携帯電話を利用したインターネット接続や電子決済などがその端緒として上げられるが、最近では、極小なＩＣチップを利用した多様な情報通信手段が実現しつつある。例えば、ＩＣチップを商品タグに組み込むことで、商品の生産履歴などの商品情報を携帯電話に提供するものや、道路や施設内のコンクリートブロックや床材の内部にＩＣチップを設置し、障害者などの通行者に現在位置情報などを提供するものなどが出現している。このようなＩＣチップのことを「ＩＣタグ」と呼ぶ。
歩道舗装用ブロックにおいては、特にブロック表面に突起部を持ち、その突起部に足先が触れることで目の不自由な人を誘導すると共に、ブロック内部にＩＣタグを内蔵し、杖状のリーダ／ライタ機器との非接触通信によって目の不自由な人を誘導することができるものまで各種提案されている。
【０００４】
特に、ＩＣタグと送受信用アンテナである環状アンテナとをコンクリートブロックに設置する方法としては、以下の特許文献１のように、ＩＣタグをブロックの下に敷設する方法が開示されているが、敷設したブロックによりＩＣタグが破損してしまう危険性がある。
【特許文献１】特開２００２−１６５８２５号公報
【０００５】
また、特許文献２においては、表面に突起部を有する着色コンクリート層を成型し、このコンクリート層に裏部コンクリート層を成型すると共にそのコンクリート層間に、樹脂で封止した電子タグを内蔵させて成形したブロックが開示されている。特に、樹脂で封止した電子タグに多数の穴を形成し、コンクリート層間での接合を良好にすることが開示されている。さらに、特許文献３においても、樹脂で封止した電子タグを中抜きし、コンクリート層間での接合を良好にしたものが開示されている。
しかしながら、これらの方法では、ブロック成形時に電子タグを内蔵させており、電子タグの破損や情報更新のために交換する場合、プロック自体を交換する必要があるという問題がある。
【特許文献２】特開２００２−１６７７１９号公報
【特許文献３】特開２００５−３００５３号公報
【０００６】
また、特許文献４においては、裏部コンクリート層にＩＣタグおよび環状アンテナを装着する装着孔を有し、その孔深さはそれらの厚みとほぼ同一であるブロックが開示されている。
しかしながら、ブロックを施設する場合、そのブロックの下に砂を敷き馴らしレベル調整するため、裏部コンクリートの装着孔に砂が入り込み、ＩＣタグが破損する危険性がある。また、装着孔に砂が入り込むため、周囲のブロックとの高さレベルの調整が難しく、さらには、歩行などの外力を受けて路盤に敷かれた砂が移動し、ブロックが傾き平坦性が確保できないなどの問題がある。
【特許文献４】実用新案登録第３１１０９８９号公報
【０００７】
また、ＩＣタグをコンクリートブロックに組み込む際に、コンクリートブロックに溝などを設けて、それら凹部にＩＣタグをボンドなどにより貼り付けて固定する方法が用いられている。しかしながら、舗装ブロック（平板、インターロッキングブロックなど）の表面に溝を設けてＩＣタグをボンドにて貼り付けた場合、ＩＣタグが直接外力を受けることになり磨耗・破損の恐れもある。
【発明の開示】
【発明が解決しようとする課題】
【０００８】
本発明は、上述した問題を解決するためになされたものであり、特に、ＩＣタグや環状アンテナの破損を防ぎ、かつ、敷設したブロックの平坦性を容易に確保でき、しかも、ＩＣタグや環状アンテナの交換を容易にした、コンクリートブロック及びその敷設方法、並びにコンクリートブロック内のＩＣタグ又は環状アンテナの交換方法を提供することを目的とする。
【課題を解決するための手段】
【０００９】
請求項１に係る発明では、上部ブロックと下部ブロックとを重ね合わせたコンクリートブロックにおいて、上部ブロック又は下部ブロックのいずれかに、ＩＣタグと環状アンテナとを装着する装着孔が形成されると共に、上部ブロックと下部ブロックとの重ね合わせ面には、両者のズレを抑制するズレ防止手段が設けられていることを特徴とする。
【００１０】
請求項２に係る発明では、請求項１に記載のコンクリートブロックにおいて、該ズレ防止手段は、上部ブロック又は下部ブロックのいずれか一方に凸部を、他方に凹部を設け、両者を嵌合するよう構成されていることを特徴とする。
【００１１】
請求項３に係る発明では、請求項２に記載のコンクリートブロックにおいて、上部ブロックの下方面にＩＣタグと環状アンテナとを装着する装着孔、および該ズレ防止手段の凹部が形成されていることを特徴とする。
【００１２】
請求項４に係る発明では、請求項１乃至３のいずれかに記載のコンクリートブロックにおいて、該コンクリートブロックは、歩道舗装用ブロックであることを特徴とする。
【００１３】
請求項５に係る発明では、請求項１乃至４のいずれかに記載のコンクリートブロックの敷設方法において、上部ブロック又は下部ブロックのいずれか一方に設けられた装着孔にＩＣタグと環状アンテナとを装着し、上部ブロックと下部ブロックとを重ね合わせて敷設することを特徴とする。
【００１４】
請求項６に係る発明では、請求項１乃至４のいずれかに記載のコンクリートブロックを用いて、該コンクリートブロックに内蔵されたＩＣタグ又は環状アンテナを交換するコンクリートブロック内のＩＣタグ又は環状アンテナの交換方法において、上部ブロックを下部ブロックから取り外し、ＩＣタグ又は環状アンテナを交換することを特徴とする。
【発明の効果】
【００１５】
請求項１に係る発明により、上部ブロックと下部ブロックとを重ね合わせたコンクリートブロックにおいて、上部ブロック又は下部ブロックのいずれかに、ＩＣタグと環状アンテナとを装着する装着孔が形成されると共に、上部ブロックと下部ブロックとの重ね合わせ面には、両者のズレを抑制するズレ防止手段が設けられているため、ＩＣタグや環状アンテナを上部ブロック及び下部ブロックにより外圧等から保護することが可能となる。また、下部ブロックの下方面は通常のコンクリートブロックと同様な形状とすることも可能となるため、敷設した際の平坦性を容易に確保することもできる。さらに、上部ブロックと下部ブロックとを接着していない場合には、上部ブロックを取り外しＩＣタグ又は環状アンテナを容易に交換することが可能となる。
【００１６】
請求項２に係る発明により、ズレ防止手段は、上部ブロック又は下部ブロックのいずれか一方に凸部を、他方に凹部を設け、両者を嵌合するよう構成されているため、上部ブロック及び下部ブロックに容易にズレ防止手段を形成することが可能となり、コンクリートブロックの製造工程を複雑化させず、かつ製造コストの増加も抑制できる。
【００１７】
請求項３に係る発明により、上部ブロックの下方面にＩＣタグと環状アンテナとを装着する装着孔、およびズレ防止手段の凹部が形成されているため、全ての孔や凹部が上部ブロックの下方面のみに配置され、孔や凹部に雨水などが溜まるのを防止することが可能となる。
【００１８】
請求項４に係る発明により、コンクリートブロックは、歩道舗装用ブロックであるため、上述した発明と同様にＩＣタグや環状アンテナの破損を防ぎ、敷設したブロックの平坦性を容易に確保でき、しかも、ＩＣタグや環状アンテナの交換を容易にした、付加価値の高い歩道舗装用ブロックを提供できる。
【００１９】
請求項５に係る発明により、コンクリートブロックの敷設方法において、上部ブロック又は下部ブロックのいずれか一方に設けられた装着孔にＩＣタグと環状アンテナとを装着し、上部ブロックと下部ブロックとを重ね合わせて敷設するため、極めて容易にＩＣタグなどを内蔵したコンクリートブロックを敷設することが可能となる。しかも、下部ブロックの下方面は通常のコンクリートブロックと同様な形状とすることも可能となるため、敷設した際の平坦性を容易に確保することもできる。
【００２０】
請求項６に係る発明により、コンクリートブロック内のＩＣタグ又は環状アンテナの交換方法において、上部ブロックを下部ブロックから取り外し、ＩＣタグ又は環状アンテナを交換するため、ＩＣタグ又は環状アンテナを極めて容易に交換することが可能となる。
【発明を実施するための最良の形態】
【００２１】
以下、本発明に係るコンクリートブロックについて、詳細に説明する。
本発明が対象とするコンクリートブロックは、図１に示すように、上部ブロック１と下部ブロック２とから構成される２層構造を有している。
図１（ａ）の矢印Ｘにおける断面図を、図１（ｂ）に示すように、上部ブロック１と下部ブロック２との間には、ＩＣタグと環状アンテナ３とを装着する装着孔が形成されており、ＩＣタグや環状アンテナを上部ブロック１及び下部ブロック２により外圧や衝撃等から保護することが可能となっている。
また、上部ブロックと下部ブロックとの重ね合わせ面には、両者のズレを抑制するズレ防止手段（１０及び２０）が設けられている。
【００２２】
図２は、上部ブロックの概略を示す図であり、図２（ａ）は、上部ブロックの下方面、図２（ｂ）は図２（ａ）の一点鎖線Ａにおける断面図を示している。
このように、上部ブロックには、ＩＣタグと環状アンテナとを装着する装着孔（１１及び１２。特に、符号１２の位置にＩＣタグを、符号１１の位置に環状アンテナを各々装着する。）が形成され、ズレ防止手段となる断面が台形状の凹部１０が形成されている。
また、必要に応じ１つ又は２つ以上のＩＣタグ等を設置可能とするため、装着孔の形状及び数を、図２と異なるものに変更することも可能である。
【００２３】
図３は、下部ブロックの概略を示す図であり、図３（ａ）は、下部ブロックの上方面、図３（ｂ）は図３（ａ）の一点鎖線Ｂにおける断面図を示している。
下部ブロックには、ズレ防止手段となる上部ブロックの凹部１０に対応する形状の凸部２０が形成されている。上部ブロックの凹部１０と下部ブロックの凸部が嵌合することにより、上部ブロックと下部ブロックとの横方向にズレが、効果的に抑制される。
なお、凹部１０や凸部２０の形状は、図２又は３に記載のものに限らず、円錐や多角錐のもの、立方体状のものなど多様な形状が選択でき、またブロックに形成する数も一つのみに限定されるものではない。
【００２４】
また、上部ブロックや下部ブロックに使用するコンクリートは、通常のモルタル・コンクリートや透水性モルタル・コンクリートなどが使用可能である。
点字・棒字用ブロックとしてコンクリートブロックを使用する場合には、上部ブロックの上方面に別途凹凸部分（不図示）を設けたり、美感を備えたコンクリートブロックを提供するため、上部ブロックを着色又は該表面に模様等を形成することも可能である。
また、下部ブロックの下方面は通常のコンクリートブロックと同様な形状とし、敷設した際の平坦性を容易に確保することもできる。
【００２５】
ＩＣタグや環状アンテナとしては、防水性や耐久性を高め、さらには取扱いを容易にするため、これらを塩化ビニル樹脂、エポキシ樹脂、シリコン樹脂、アクリル樹脂などで封止し、図２の装着孔（１１，１２）の形状に合う、環状体に成形している。
ＩＣタグや環状アンテナは、上部ブロックに形成された装着孔に嵌め込まれ、固定される。
【００２６】
次に、コンクリートブロックの敷設方法について説明する。
空練りモルタルや砂などで形成された道路基礎（又は床基礎）上に、下部ブロックを敷設する。次に、上部ブロックの装着孔にＩＣタグや環状アンテナを装着し、下部ブロックの上に上部ブロックを載置する。
【００２７】
ＩＣタグや環状アンテナを装着孔に装着する際には、接着剤を利用してＩＣタグ等を上部ブロックに強固に接着させることも可能であるが、ＩＣタグ等の交換を行う必要がある場合には、接着剤の使用は好ましくない。
また、上部ブロックと下部ブロックとを接着剤を利用して固定し、上下のブロックを一体化し、施工性を向上させることも可能であるが、上述のようにＩＣタグ等の交換を可能となる場合には、好ましくない。
【００２８】
次に、コンクリートブロック内のＩＣタグ又は環状アンテナの交換方法について説明する。
敷設されているコンクリートブロックから上部ブロックのみを取り外し、上部ブロックの装着孔に装着されたＩＣタグ又は環状アンテナを除去する。次に、新しいＩＣタグ又は環状アンテナを該装着孔に挿入し、上部ブロックを再度、下部ブロック上に載置する。
【００２９】
以上の説明では、上部ブロックにＩＣタグ等を装着する例について述べたが、本発明はこれに限定されるものでは無く、下部ブロックに装着するよう構成することも可能である。また、ズレ防止手段として、凸部を上部ブロックに形成し、凹部を下部ブロックに形成するなど種々の変更が可能であることは、言うまでもない。
【産業上の利用可能性】
【００３０】
本発明により、ＩＣタグや環状アンテナの破損を防ぎ、かつ、敷設したブロックの平坦性を容易に確保でき、しかも、ＩＣタグや環状アンテナの交換を容易にした、コンクリートブロック及びその敷設方法、並びにコンクリートブロック内のＩＣタグ又は環状アンテナの交換方法を提供することが可能となる。
【図面の簡単な説明】
【００３１】
【図１】本発明に係るコンクリートブロックの概略を示す図である。
【図２】本発明に係るコンクリートブロックの上部ブロックの構造を示す図である。
【図３】本発明に係るコンクリートブロックの下部ブロックの構造を示す図である。
【符号の説明】
【００３２】
１  上部ブロック
２  下部ブロック
３  ＩＣタグ又は環状アンテナ
１０  凹部
１１  環状アンテナ装着孔
１２  ＩＣタグ装着孔
２０  凸部
【図１】
2007270472.tif 000003
【図２】
2007270472.tif 000004
【図３】
2007270472.tif 000005